(57)【特許請求の範囲】
【請求項１】
画像撮影部を備えた無線通信端末装置において、
相手側通信端末装置を呼び出し、前記画像撮影部により取り込んだ自画像を送信するとともに相手側画像および前記自画像を表示部に表示させるリアルタイム画像伝送モードと、
前記画像撮影部により取り込んだ画像を前記表示部に表示させ、シャッタ動作により静止画像信号を生成し、静止画像ファイルをメモリ部に保存するカメラモードと、
該メモリ部に保存した画像ファイルを前記表示部に表示する画像ビューワーモードと、を備え
前記カメラモードを用いて画像を撮影しているときに、呼出があった場合、
画像取込を中止し、
着呼に応答することを可能にしたことを特徴とする無線通信端末装置。
【発明の詳細な説明】
【０００１】
【発明の属する技術分野】
本発明は、画像伝送無線通信端末システムに用いるデータ通信機能および電話機能を有する無線通信端末装置に関する。
【０００２】
【従来の技術】
取り込んだ画像を無線で伝送するシステムとして、画像撮影装置を組み込んだ端末装置に無線通信端末を装着するものが実用に供されている。
しかしながら、上記システムは画像撮影装置を組み込んだ端末装置を本体として用いているため、システム自体が大型であり、操作が煩雑であるという問題があった。
近年、携帯性が良好な無線通信端末、さらには撮像素子を搭載しディジタル画像として取り込むディジタルカメラが広く普及している。この無線通信端末にディジタルカメラを接続して画像を伝送するシステムを構築することができるが、個別にはそれぞれ携帯性に優れていても２つの装置を接続した場合には携帯性が損なわれるばかりでなく、操作が煩雑になる
【０００３】
【発明が解決しようとする課題】
さらにコストダウンの要請から、各装置に用いられる回路部分も重複がないようにすることが必要である。しかしながら、上記各装置はそれぞれ表示部やメモリ部分を独自に有している。
本発明の課題は、画像を撮影したり，再生表示したり、さらには画像を相手端末との間で送受信したりする操作が簡単で、部品点数も従来のシステム構築に比較し削減することができる画像伝送無線通信端末システムに用いる無線通信端末装置を提供することにある。
【０００４】
【課題を解決するための手段】
前記課題を解決するために本発明による無線通信端末装置は、画像撮影部を備えた無線通信端末装置において、相手側通信端末装置を呼び出し、前記画像撮影部により取り込んだ自画像を送信するとともに相手側画像および前記自画像を表示部に表示させるリアルタイム画像伝送モードと、前記画像撮影部により取り込んだ画像を前記表示部に表示させ、シャッタ動作により静止画像信号を生成し、静止画像ファイルをメモリ部に保存するカメラモードと、該メモリ部に保存した画像ファイルを前記表示部に表示する画像ビューワーモードと、を備え前記カメラモードを用いて画像を撮影しているときに、呼出があった場合、画像取込を中止し、着呼に応答することを可能にしている。
【０００５】
【作用】
上記構成によれば、画像撮影，伝送などの操作も容易であり、重複する回路部，部品を削減できコスト低減を図ることができる。
【０００６】
【発明の実施の形態】
以下、図面を参照して本発明をさらに詳しく説明する。
図１は本発明による画像伝送無線通信端末システムの実施の形態を説明するための外観斜視図である。図２は、本発明による画像伝送無線通信端末システムの外観各部分を説明するための図である。
図１（ａ）に示す画像撮像部の例として着脱式画像撮影アダプタ２を、図１（ｂ）に示すようにＰＨＳ機能およびデータ通信機能を有する無線通信端末装置１に一体に装着して画像伝送無線通信端末システムが構築される。
【０００７】
無線通信端末装置１は薄肉略長方形状の上部フリップ部９と下部フリップ部１０よりなり、２つ折りで重ねることができる。待ち受け状態のときには畳んでおくことができる。
上部フリップ部９は、左上縁部にアンテナ４を有し、上端に着信ランプ６と呼出ブザー５，前面上部に受話スピーカ７が設けられている。
中央部にはモデム等より受信した各種文字情報やキー等の操作による送信情報をはじめとして各種情報を表示したり、初期メニューを表示したりする表示部（モノクロ液晶画面）８が設けられている。表示部８には、他の無線通信端末から転送されてきたり、着脱式画像撮影アダプタ２から取り込んだりして後述するメモリ部３０に格納された画像ファイル，さらには着脱式画像撮影アダプタ２のカメラユニット２０で撮影される被写体像を直接に表示することができる。
【０００８】
下部フリップ部１０には左下部に電源スイッチ１６，左上部に発呼信号を送信する通話スイッチ１１ａ，オンフックスイッチ１１ｂが、その下にテンキー１３，さらにその横に外部端末／子機切替キーをはじめとして、その他の諸機能を実現するためのキーからなるファンクションキー１２が配置されている。
テンキー１３の＊キーにより電子シャッタを動作させることができる。さらにテンキー１３とファンクションキー１２により画像ファイル名を入力することができる。ファンクションキー１２の下部にはさらに音量調整・機能選択キー１４が設けられている。
【０００９】
着脱式画像撮影アダプタ２は、鞘状のフレーム１９を案内として下部フリップ部１０の下端側に装着され、下部フリップ部１０のスロット接続端子１７はＰＣカードスロット部１８に電気的に接続される。カメラユニット２０は支持部２２により回動可能に取り付けられ、撮影方向を変えることができる。
このように構築される画像伝送無線通信システムは図１（ｂ）から明らかなように上部フリップ部９を折り畳むことができ、システム全体としての大きさは無線通信端末装置単体に比較し携帯性が損なわれることはない。
【００１０】
図３は、本発明による画像伝送無線通信端末システムの回路の実施の形態を示すブロック図である。
着脱式画像撮影アダプタ２はレンズ２１で結像した被写体像を電気信号に変換する撮像素子（Ｃ−ＭＯＳ）２５，撮像素子２５の画像信号をＡ／Ｄ変換するＡ／Ｄ変換器２６ならびに処理部２７より構成されている。処理部２７は画像を圧縮／伸長する機能の他にディザ画像処理部２８および音声処理部２９を含んでいる。ディザ画像処理部２８はディザ法により画像データをモノクロ液晶パネルの表示部８の表示に適合するデータ形式になるように変換する。
一般に撮像素子から取り込まれたカラー画像データをそのままモノクロ２値に変換してもモノクロ液晶表示画面にはきれいな画面を表示させることができないので、上記のように中間階調部分が出るように画像変換処理して所定品質の表示画像を確保している。
【００１１】
無線通信端末装置１はＰＨＳ電話機能，データ送受信機能，画像取込機能などの制御を司どるＣＰＵ３１，文字データや画像ファイルを格納するメモリ部３０，表示部を駆動する表示駆動部３４，操作部の入力情報をＣＰＵ３１に伝達するキー入力インタフェース部３２，通信のためのＲＦ部３３ならびにアンテナ４を含んで構成されている。
【００１２】
無線通信端末装置１に着脱式画像撮影アダプタ２を装着して画像伝送無線通信端末システムとして用いるときの動作は基本的には３つのモードを有する。電源スイッチ１６をオンすると、ＣＰＵ３１は表示部８に選択メニューを表示する。ファンクションキー１２により予めインストールされている３つの動作モードは
▲１▼リアルタイム画像伝送モード，
▲２▼カメラモード，
▲３▼画像ビューワーモードであり、その中から１つを機能選択キー１４により選ぶことができる。
【００１３】
以下、各モードを選択したときの操作手順および回路動作を説明する。
（リアルタイム画像伝送モード）
まず、通信相手の呼出のために通話スイッチ１１ａを押して発呼し、相手の電話番号を入力する。相手番号の選択は
ａ）テンキー１３による電話番号入力
ｂ）テンキー１３によるトランシーバ番号入力
ｃ）ファンクションキー１２によるリダイヤル番号入力
ｄ）ファンクションキー１２による電話帳選択番号入力
の４つの方法がある。この中の１つの方法により番号入力を行うとその番号データで変調した搬送波がＲＦ部３３より出力されアンテナ４より電波が発射される。トランシーバ番号入力以外の場合には図示しない基地中継局を経由して相手端末に送られる。相手端末が応答し通信状態が形成されると、ＣＰＵ３１は表示部８を２分割の画像表示に切り換える。そして、相手が転送してくる画像を２分割画面の片方に表示するとともに着脱式画像撮影アダプタ２の撮像素子２５より取り込んだ自画像を他方側に表示する。
【００１４】
アンテナ４，ＲＦ部３３を介して送られてきた相手画像は、メモリ部３０に格納され、スロット接続端子１７，ＰＣカードスロット部１８を経由して着脱式画像撮影アダプタ２の処理部２７に送られ、圧縮画像が伸長され、伸長された画像がディザ画像処理部２８によりディザ画像データに変換される。このディザ画像データはスロット接続端子１７，ＰＣカードスロット部１８を経由して無線通信端末装置１に戻され、再度メモリ部３０に格納された後に表示駆動回路３４を介して上記のように２分割画面の片方に表示される。
一方、通信状態が形成されると、ＣＰＵ３１は着脱式画像撮影アダプタ２に対し、画像取込の命令を出力する。この命令に従って撮像素子２５から取り込んだ自画像は処理部２７で圧縮処理が行われ、スロット接続端子１７，ＰＣカードスロット部１８を経由し、メモリ部３０に格納された後、ＲＦ部３３，アンテナを介して相手に送信されるとともにディザ画像処理部２８でディザ画像データに変換されて同様にスロット接続端子１７，ＰＣカードスロット部１８を経由し、表示駆動回路３４を介して上記のように２分割画面の他方側に表示される。
両者は双方向画像通信を行いながら通話をすることができる。
相手から送られてくる画像は例えば２，３駒／秒であり、自画像も同様に更新される。
【００１５】
（カメラモード）
このモードを選択すると、ＣＰＵ３１は、表示部８を全画面のビューファインダ画面に切り換える。撮像素子２５から取り込んだ画像はディザ画像変換処理されて表示部８の全面に表示される。ユーザがこの画像を見ながらテンキー１３の＊キーを押すと、ＣＰＵ３１は電子シャッタを動作させ、＊キーを押したときの静止画像信号を生成する。この後、表示部８はファイル名入力画面に切り換えられる。ユーザがテンキー１３とファンクションキー１２を用いてファイル名を入力すると、形成された静止画像ファイルは処理部２７で圧縮処理された後メモリ３０に保存される。
メモリ３０に保存した静止画像ファイルは、無線通信端末装置のターミナル機能により静止画像ファイルを送ることができる。なお、この場合の静止画像ファイル転送に際しても、選択した静止画像ファイルを着脱式画像撮影アダプタ２で伸長，ディザ画像変換してメモリ部３０に格納し、そのデータを表示部８に表示する。
【００１６】
（画像ビューワーモード）
このモードを選択すると、ＣＰＵ３１は表示部８をファイル名入力画面に切り換える。ユーザが表示すべき静止画像ファイル名をテンキー１３とファンクションキー１２により入力して選択すると、表示部８は全画面のビューワー画面に切り換えられる。ＣＰＵ３１はメモリ部３０より入力したファイル名の静止画像ファイルを読み出し、着脱式画像撮影アダプタ２の処理部２７で伸長処理し、ディザ画像処理部２８でディザ画像データに変換した後、再度メモリ部３０に格納する。メモリ部３０に格納された伸長，ディザ画像変換された画像データは表示部８に表示される。
【００１７】
なお、無線通信端末装置１内蔵のメモリ部３０に蓄積可能な枚数以上に撮影を行いたい場合には、オプションとして無線通信端末装置内蔵メモリを増設する機能を付加するか、または、着脱式画像撮影アダプタ２にメモリを増設可能な機能を付加することも可能である。
また、カメラモードを用いて画像を撮影しているときに、呼出があった場合には、ビジー信号を送出したり、画像取込を中止して着呼に応答することも可能である。
【００１８】
【発明の効果】
以上、説明したように本発明は、画像撮影部を備えた無線通信端末装置において、相手側通信端末装置を呼び出し、相手側画像および自画像を表示させるリアルタイム画像伝送モードと、取り込んだ画像を表示画面に表示させ、シャッタ動作により静止画像信号を生成し、静止画像ファイルをメモリ部に保存するカメラモードと、メモリ部に保存した画像ファイルを表示部に表示する画像ビューワーモードとを備えたものである。
したがって、操作部の一元化を図ることができ操作を簡易にすることができるという効果がある。さらに部品点数が削減され、コストダウンを図ることができる。
【図面の簡単な説明】
【図１】本発明による画像伝送無線通信端末システムの実施の形態を説明するための外観斜視図である。
【図２】本発明による画像伝送無線通信端末システムの外観各部分を説明するための図である。
【図３】本発明による画像伝送無線通信端末システムの回路の実施の形態を示すブロック図である。
【符号の説明】
１…無線通信端末装置
２…着脱式画像撮影アダプタ
３…電池収容部
４…アンテナ
５…ブザー
６…着信ランプ
７…スピーカ
８…表示部（モノクロ液晶表示画面）
９…上部フリップ部
１０…下部フリップ部
１１ａ…通話スイッチ
１１ｂ…オンフックスイッチ
１２…ファンクションキー
１３…テンキー
１４…機能選択キー
１５…マイク
１６…電源スイッチ
１７…スロット接続端子
１８…ＰＣカードスロット部
１９…フレーム
２０…カメラユニット
２１…レンズ部
２２…支持部
２５…撮像素子（Ｃ−ＭＯＳ）
２６…Ａ／Ｄ変換器
２７…処理部
２８…ディザ画像処理部
２９…音声処理部
３０…メモリ部
３１…ＣＰＵ
３２…キー入力インタフェース部
３３…ＲＦ部
３４…表示駆動回路
【図１】
0003714925.tif 000002
【図２】
0003714925.tif 000003
【図３】
0003714925.tif 000004